(57)【要約】【課題】電線の大きな屈曲を伴わなくても充分な電線の固定強度が得られる電線の固定方法を提供する。【解決手段】電線１００を設定対象物５００に対して配線して固定するための電線の固定具１であって、設定対象物における電線１００の出口付近には、トンネル状の電線保持部分２０を設け、電線保持部分２０の途中には電線保持部分２０の中心のズレ量ｄを有する段差部分１０，１１を有しており、ズレ量ｄは電線１００の被覆１０２の厚み未満であり、電線１００の大きな屈曲を伴わなくても充分な電線１００の固定強度が得られ、電線１００がほぼ直線状態のまま固定できる。【選択図】図１
2007267511.tif 000002
【特許請求の範囲】
【請求項１】
電線を設定対象物に対して配線して固定するための電線の固定具であって、
前記設定対象物における前記電線の出口付近には、トンネル状の電線保持部分を設け、前記電線保持部分の途中には前記電線保持部分の中心のズレを有する段差部分を有しており、前記ズレ量は前記電線の被覆の厚み未満であることを特徴とする電線の固定具。
【請求項２】
前記電線保持部分は、前記電線保持部分の軸方向に沿って分割された第１半円筒部分と第２半円筒部分から構成されており、前記第１半円筒部分と前記第２半円筒部分が重ね合わされることで円筒トンネル状の前記電線保持部分が形成され、前記第１半円筒部分と前記第２半円筒部分の前記段差部分では、前記軸方向に対して交互に円筒中心がズレていることを特徴とする請求項１に記載の電線の固定具。
【請求項３】
前記電線保持部分は、前記電線保持部分の軸方向に沿って分割された第１略Ｕ字部分と第２略Ｕ字部分から構成されており、前記第１略Ｕ字部分と前記第２略Ｕ字部分が重ね合わされることでトンネル状の前記電線保持部分が形成され、前記第１略Ｕ字部分と前記第２略Ｕ字部分は、交互に歯部が前記電線の前記被覆に噛み合うように凹凸が対応して配置され、前記歯部が前記第１略Ｕ字部分と前記第２略Ｕ字部分において互いに交互に中心がズレていることを特徴とする請求項１に記載の電線の固定具。
【請求項４】
前記設定対象物は、前記電線の固定部材であることを特徴とする請求項１に記載の電線の固定具。
【請求項５】
前記設定対象物は、機器の筐体の一部であることを特徴とする請求項１に記載の電線の固定具。
【請求項６】
電線を設定対象物に対して配線して固定するための電線の固定方法であって、
前記設定対象物における前記電線の出口付近に設けられたトンネル状の電線保持部分の途中には前記電線保持部分の中心のズレを有する段差部分を有しており、前記ズレ量は前記電線の被覆の厚み未満であり、前記電線の被覆が前記電線保持部分の前記段差部分により固定されることを特徴とする電線の固定方法。
【請求項７】
前記電線保持部分は、前記電線保持部分の軸方向に沿って分割された第１半円筒部分と第２半円筒部分から構成されており、前記第１半円筒部分と前記第２半円筒部分が重ね合わされることで円筒トンネル状の前記電線保持部分が形成され、前記第１半円筒部分と前記第２半円筒部分の前記段差部分では、前記軸方向に対して交互に円筒中心がズレていて、前記電線の被覆が前記電線保持部分の前記段差部分により固定されることを特徴とする請求項６に記載の電線の固定方法。
【請求項８】
前記電線保持部分は、前記電線保持部分の軸方向に沿って分割された第１略Ｕ字部分と第２略Ｕ字部分から構成されており、前記第１略Ｕ字部分と前記第２略Ｕ字部分が重ね合わされることでトンネル状の前記電線保持部分が形成され、前記第１略Ｕ字部分と前記第２略Ｕ字部分は、交互に歯部が前記電線の前記被覆に噛み合うように凹凸が対応して配置され、前記歯部が前記第１略Ｕ字部分と前記第２略Ｕ字部分において互いに交互に中心がズレていて、前記電線の被覆が前記電線保持部分の前記段差部分により固定されることを特徴とする請求項６に記載の電線の固定方法。
【発明の詳細な説明】
【技術分野】
【０００１】
本発明は、電線の固定具および配線の固定方法に関し、特に電線と電気機器の内部配線との接続を安定させることができる電線の固定具および電線の固定方法に関する。
【背景技術】
【０００２】
電気機器に対して電線を接続するために、電線は端子ボルトとナットにより取り付ける構造が提案されている（例えば、特許文献１参照）。しかし、このような構造では電線を電気機器の筐体に直接的に固定することができない。そこで、電気機器に電線を固定する場合には、電気機器に設けられた壁や凹凸部に電線を挟んで、この電線を山形に屈曲させることで、電線は電気機器に固定される。電気機器の筐体は、概ね上下に分かれていて、例えば本体と蓋体との間に電線を挟む構造であって、本体と蓋体の対応した位置に壁や凹凸部が設けられていて、蓋体を本体に対して被せる力で電線を押し曲げて、その摩擦力で電線の引っ張り力に対向する。
【特許文献１】特開平７−１３０４１１号公報
【発明の開示】
【発明が解決しようとする課題】
【０００３】
ところが、このように電線を屈曲させて電気機器の筐体に固定する方法では、電線に予め屈曲できるだけの余分な長さを与えておく必要があり、蓋体を締める力で電線を屈曲させる時に、電線が蓋体に設けられた壁の上を滑って筐体の中に引きずり込まれる。この時に、摩擦に対向するための力も必要であり、その力は電線に引っ張り力となって吸収されるから、電線がのびてしまい、引きずり込まれる長さの分電線の長さにバラツキを引き起こす。
【０００４】
そうすると、残りの電線、すなわち電気機器の外の配線部分の電線長さにもバラツキが生じてしまい不揃いになって配線にはなはだ都合が悪く、配線作業性が低下する。
【０００５】
特に、電線に対して電気機器を直列に並べるバス配線の場合には、各電気機器が所定の間隔で並ばないので都合が悪い。このため、電線に余分な長さを必要とせずに、電線は直線状態のままで長さのバラツキが無く、電気機器と電線とを固定することが望まれている。
【０００６】
そこで、本発明は上記課題を解消するために、電線の大きな屈曲を伴わなくても充分な電線の固定強度が得られる電線の固定具および電線の固定方法を提供することを目的とする。
【課題を解決するための手段】
【０００７】
上記課題を解消するために、本発明の電線の固定具は、電線を設定対象物に対して配線して固定するための電線の固定具であって、
前記設定対象物における前記電線の出口付近には、トンネル状の電線保持部分を設け、前記電線保持部分の途中には前記電線保持部分の中心のズレを有する段差部分を有しており、前記ズレ量は前記電線の被覆の厚み未満であることを特徴とする。
【０００８】
本発明の電線の固定具は、好ましくは前記電線保持部分は、前記電線保持部分の軸方向に沿って分割された第１半円筒部分と第２半円筒部分から構成されており、前記第１半円筒部分と前記第２半円筒部分が重ね合わされることで円筒トンネル状の前記電線保持部分が形成され、前記第１半円筒部分と前記第２半円筒部分の前記段差部分では、前記軸方向に対して交互に円筒中心がズレていることを特徴とする。
【０００９】
本発明の電線の固定具は、好ましくは前記電線保持部分は、前記電線保持部分の軸方向に沿って分割された第１略Ｕ字部分と第２略Ｕ字部分から構成されており、前記第１略Ｕ字部分と前記第２略Ｕ字部分が重ね合わされることでトンネル状の前記電線保持部分が形成され、前記第１略Ｕ字部分と前記第２略Ｕ字部分は、交互に歯部が前記電線の前記被覆に噛み合うように凹凸が対応して配置され、前記歯部が前記第１略Ｕ字部分と前記第２略Ｕ字部分において互いに交互に中心がズレていることを特徴とする。
【００１０】
本発明の電線の固定具は、好ましくは前記設定対象物は、前記電線の固定部材であることを特徴とする。
【００１１】
本発明の電線の固定具は、好ましくは前記設定対象物は、機器の筐体の一部であることを特徴とする。
【００１２】
本発明の電線の固定方法は、電線を設定対象物に対して配線して固定するための電線の固定方法であって、
前記設定対象物における前記電線の出口付近に設けられたトンネル状の電線保持部分の途中には前記電線保持部分の中心のズレを有する段差部分を有しており、前記ズレ量は前記電線の被覆の厚み未満であり、前記電線の被覆が前記電線保持部分の前記段差部分により固定されることを特徴とする
本発明の電線の固定方法は、好ましくは前記電線保持部分は、前記電線保持部分の軸方向に沿って分割された第１半円筒部分と第２半円筒部分から構成されており、前記第１半円筒部分と前記第２半円筒部分が重ね合わされることで円筒トンネル状の前記電線保持部分が形成され、前記第１半円筒部分と前記第２半円筒部分の前記段差部分では、前記軸方向に対して交互に円筒中心がズレていて、前記電線の被覆が前記電線保持部分の前記段差部分により固定されることを特徴とする。
【００１３】
本発明の電線の固定方法は、好ましくは前記電線保持部分は、前記電線保持部分の軸方向に沿って分割された第１略Ｕ字部分と第２略Ｕ字部分から構成されており、前記第１略Ｕ字部分と前記第２略Ｕ字部分が重ね合わされることでトンネル状の前記電線保持部分が形成され、前記第１略Ｕ字部分と前記第２略Ｕ字部分は、交互に歯部が前記電線の前記被覆に噛み合うように凹凸が対応して配置され、前記歯部が前記第１略Ｕ字部分と前記第２略Ｕ字部分において互いに交互に中心がズレていて、前記電線の被覆が前記電線保持部分の前記段差部分により固定されることを特徴とする。
【発明の効果】
【００１４】
本発明の請求項１の電線の固定具によれば、電線の芯線に影響を与えずに、電線の大きな屈曲を伴わなくても充分な電線の固定強度が得られる。
【００１５】
本発明の請求項２の電線の固定具によれば、分割された第１半円筒部分と第２半円筒部分を用いて、電線の芯線に影響を与えずに、電線の大きな屈曲を伴わなくても充分な電線の固定強度が得られる。
【００１６】
本発明の請求項３の電線の固定具によれば、分割された第１略Ｕ字部分と第２略Ｕ字部分を用いて、電線の芯線に影響を与えずに、電線の大きな屈曲を伴わなくても充分な電線の固定強度が得られる。
【００１７】
本発明の請求項４の電線の固定具によれば、電線の固定部材に対して電線を強固に固定できる。
【００１８】
本発明の請求項５の電線の固定具によれば、機器の筐体の一部に対して電線を強固に固定できる。
【００１９】
本発明の請求項６の電線の固定具によれば、電線の芯線に影響を与えずに、電線の大きな屈曲を伴わなくても充分な電線の固定強度が得られる。
【００２０】
本発明の請求項７の電線の固定具によれば、分割された第１半円筒部分と第２半円筒部分を用いて、電線の芯線に影響を与えずに、電線の大きな屈曲を伴わなくても充分な電線の固定強度が得られる。
【００２１】
本発明の請求項８の電線の固定具によれば、図１３（Ｂ）に示すように、箱体２４０１には第１略Ｕ字部分２６０１が形成され、蓋体２４０２には第２第１略Ｕ字部分２６０２が形成されている。 
【発明を実施するための最良の形態】
【００２２】
以下、図面を参照して、本発明の好ましい実施形態を詳細に説明する。
【００２３】
図１は、本発明の電線の固定具の好ましい実施形態を示す図であり、。
【００２４】
電線は、電気機器に電力や通信信号を伝送するのに用いられ、電気機器の内部配線と電気接続用の端子などによって電気的に接続されていると同時に、電気機器の外の部分は延長されて、電源や制御機器や、複数の電気機器に接続されている。電気機器の外部配線は、建物の壁や天井や、移動体であれば自動車の車体の壁などの所定の経路を通過して配線されているから、電線の長さにバラツキが生じると、配線作業性が低下する。
【００２５】
現場での一品工事なら別であるが、通常の電線の固定方法では規格寸法の配線体を沢山生産するには不都合と言える。電線は直線状態のまま加工されれば、電線には長さのバラツキが生じないので、配線体の大量生産には適する。
【００２６】
そこで、本発明の実施形態の電線の固定具では、電線を保持している部分が円筒状に形成されており、その円筒状のトンネルの長さ方向には複数の中心位置がずれた段差部分を設けることにより、電線の長さの変化を少なくして、電線を強固に保持することができる構造を採用している。
【００２７】
図１（Ａ）は、本発明の電線の固定具の好ましい実施形態を示しており、電線の固定具１は、電線固定部分２０を有しており、電線１００はこの電線固定部分２０により確実に固定される。
【００２８】
トンネル状の電線保持部分２０は、例えば電気機器の電線１００の出口付近において電線１００を保持している。電線保持部分２０は円筒状のトンネルを形成しており、電線保持部分２０の途中形状は、長手方向に沿って幾つかに分割されており、複数の段差部分１０，１１が交互に繰り返して配列されている。
【００２９】
電線１００は、複数本の芯線１０１と、絶縁用の被覆１０２を有し、電線１００は断面円形を有している。複数本の芯線１０１の幾何学的な中心が中心線Ｌである。
【００３０】
図１（Ｂ）に示すように、電線保持部分２０の特徴的なところは、段差部分１０の中心Ｓ１が、電線１００の芯線１０１の中心線Ｌに対して、ズレ量ｄだけずれており、。同様にして、段差部分１０の中心Ｓ２が、電線１００の芯線１０１の中心線Ｌに対して、ズレ量ｄだけ反対方向にずれていることである。
【００３１】
さらに、特徴的なのは、ズレ量ｄは電線１００の被覆１０２の厚み未満に設定されていることである。これにより、電線１００が電線保持部分２０に保持された状態では、被覆１０２が変形するだけであり芯線１０１に与える影響は少なく、芯線１０１は概ね直線的にトンネル状の電線保持部分２０を通過できる。芯線１０１は金属であるから、芯線１０１が真っ直ぐな状態であれば、被覆１０２が変形９９を起こしても、電線１００の長さのバラツキは少ない。
【００３２】
図１では、電線保持部分２０は、軸方向に沿って上下に２つに分割されており、第１半円筒部分２１と第２半円筒部分２２から構成されている。第１半円筒部分２１と第２半円筒部分２２が重ね合わされることで、円筒トンネル状の電線保持部分２０が形成される。第１半円筒部分２１と第２半円筒部分２２の段差部分１０，１１の円筒中心は、中心軸Ｌに対して軸方向に対して交互に上下方向に沿ってズレている。
【００３３】
これにより、電線１００の被覆１０２が、電線保持部分２０の段差部分１０，１１により確実に固定できる
図２は、本発明の別の実施形態を示している。図２では、電線１００の図示は省略している。
【００３４】
図２の電線の固定具１は、その内部に電線保持部分２０を有している。電線保持部分２０には、３つの半径方向に関して３カ所に第１段差部分〜第３段差部分１０，１１，１２が形成されている。各第１段差部分〜第３段差部分１０，１１，１２は、内部に角の切り立った段差である。この角部分は、例えば６０度から９０度の角度を有していることが望ましい。
【００３５】
段差部分の数は３段であるが、段差部分の数は多いほど良いが、部品加工や強度の制約や、占有面積の問題があるので、概ね電線直径の２倍程度の長さの円筒状のトンネルには、３段程度の段差を設けることが望ましい。図２の例でも、電線固定部分２０は例えば上下に２分割可能である。
【００３６】
図３は、本発明の範囲外である比較例を示している。図３に示すように、電線保持部分４００の段差部分３００，３０１は、円筒の直径の大きさの違いで同心円状に形成されていて、相互にはずれていない。この場合には、電線はより直線的に配置されるのであるが、直径の小さい段差部分３０１は、直径の大きい段差部分３００に比べて、電線の断面積を圧縮してしまうことになる。しかも、取扱者が電線２０電線保持部分４００の段差部分３００，３０１内に装着するときには大きな力が必要になり、圧縮された断面積は長さ方向に変形して逃げることになるから、電線に対するダメージが大きい。
【００３７】
図４ないし図６は、本発明の実施形態の電線の固定具１が、実際に適用された例を示している。
【００３８】
図４では、電線の固定具１が設定対象物であるコネクタ５００に取り付けられている。電線１００の端末は、電線の固定具１を用いてコネクタ５００に固定されている。
【００３９】
図５では、電線の固定具１が設定対象物である電源ボックス６００に取り付けられている。電線１００の端末は、電線の固定具１を用いて電源ボックス６００に固定されており、電源ボックス６００から電線１００が導出されている。
【００４０】
図６では、電線の固定具１が設定対象物であるバスハーネスに対して適用されている。制御ボックス７００には、電線の固定具１を用いて電線１００の端部が固定されている。電線５００は、コネクタ７５０が設けられている。
【００４１】
図４ないし図６の例では、電線の固定具１の電線固定部分２０は、例えば２分割されている。図４のコネクタ５００は上下部分５０１，５０２に２分割できる。図５の電源ボックス６００は、本体６０１と蓋体６０２に分割できる。図６の制御ボックス７００は、本体７０１と蓋体７０２分割できる。
【００４２】
次に、図７と図８を参照して、本発明のさらに別の実施形態を説明する。
【００４３】
図７は、電気接続用のコネクタ８１０の正面図である。図８は図７の電気接続用のコネクタ８１０のＨ−Ｈ線における断面図である。
【００４４】
図７と図８に示す電線の固定具１００１は、設定対象物としての電気接続用のコネクタ８１０に設定されている。このコネクタ８１０の中心には電線の固定具１００１と端子８４０が配置されている。図８に示すように、端子８４０は、被覆圧着８４１と芯線圧着８４２を有している。芯線圧着８４１は電線１００の芯線１０１に対して圧着され、被覆圧着８４２は被覆１０２に対して圧着されている。被覆１０２には、電磁シールド導体１０２Ｄが配置されている。
【００４５】
図８に示す電線１００の端部と端子８４０は、絶縁体８４３により保持されており、端子８４０の先端部は、コネクタソケット８４４の開口部内に位置している。絶縁体８４３の外面には、電磁シールド外殻８４５が配置されており、電磁シールド外殻８４５の一部は、電線１００の被覆１０２に対してカシメ部８４６により固定されている。
【００４６】
電磁シールド外殻８４５は、回路を電磁ノイズから隔離するために、嵌め合い面以外のコネクタ８１０の周囲をほぼ全部覆っている。電磁シールド外殻８４５は、導電性の金属部品であり、その終端は電線の電磁シールド導体１０２Ｄと電気的に圧着カシメで固定して接続されている。
【００４７】
図８に示す電磁シールド導体１０２Ｄは、編組線などで電線１００の全周囲を覆い、さらにその上を外装の被覆１０２が覆っている。被覆１０２がコネクタの外殻絶縁体８４７で固定すれば、コネクタはシールド電線と一体化して、外力に耐えて、電磁ノイズの影響もなく機能を維持することができる。
【００４８】
電線の固定具１００１とコネクタソケット８４４は、外殻絶縁体８４７内に直列に配置されている。図７に示すように、コネクタソケット８４４は、上部分割体８４４Ａと下部分割体８４４Ｂにより構成されている。外殻絶縁体８４７は、図７に示すように上部分割体８４７Ａと下部分割体８４７Ｂにより構成されており、上部分割体８４７Ａと下部分割体８４７Ｂは、左右の係止手段８４７Ｃにより固定されている。
【００４９】
図８に示す端子８４０の先端部は、相手方の端子と嵌め合う形状を有している。端子８４０は絶縁体８４３に固定されているが、絶縁体８４０はコネクタハウジングとして、相手側のコネクタと嵌め合うようにソケット型を有している。図７と図８の電気接続用のコネクタ８１０は、プラグとして応用しても、電線の固定具１００１を使用することができる。
【００５０】
図８に示す電線の固定具１００１は、電線保持部分２０を有しており、電線保持部分２０は円筒状トンネル部分であり、電線保持部分２０は複数のシールド電線１００を電線１００の形状に合わせて扁平な横に広がった円筒状トンネルである。各電線１００は複数の芯線を内包している。
【００５１】
図８に示す電線保持部分２０は、電線固定用の４つの段差部分１０，１１が上下交互にずれて形成されている。段差部分１０，１１のそれぞれの中心は、電線１００の中心線に対して図８の紙面縦方向に沿ってずれており、電線１００の外装の被覆１０２は、４カ所の段差部分１０，１１により上下交互にわずかに変形してコネクタの外殻絶縁体８４７内の段差部分１０，１１に引っ掛かり、電線１００を引っ張る力に対して強固に固定されている。
【００５２】
図７と図８の例では、好ましくは電線保持部分２０は、電線保持部分２０の軸方向に沿って分割された第１略Ｕ字部分２１Ｐと第２略Ｕ字部分２２Ｐから構成されており、第１略Ｕ字部分２１Ｐと第２略Ｕ字部分２２Ｐが重ね合わされることで、トンネル状の電線保持部分２０が形成されている。第１略Ｕ字部分２１Ｐと第２略Ｕ字部分２２Ｐは、交互に歯部が電線の被覆１０２に噛み合うように凹凸が対応して配置され、歯部が第１略Ｕ字部分２１Ｐと第２略Ｕ字部分２２Ｐにおいて互いに上下に沿って交互に中心がズレている。
【００５３】
図７と図８の例では、上述したように、外殻絶縁体８４７は上下に２分割されていて、外殻絶縁体８４７は電線１００やコネクタソケット８４４を上下から挟んで、外殻絶縁体８４７はスナップフィットによる係止手段８４７Ｃを用いて固定されている。
【００５４】
電線固定用の段差部分１０，１１の数は、用途に応じて任意に設定することができる。
【００５５】
図７と図８の本発明の実施形態を応用すれば、１本の電線でも、並んだ複数本の電線でもシールド電線の被覆であっても、コネクタや電源箱、電気機器などの設定対象物に対して確実に固定できる。
【００５６】
図９ないし図１１は、本発明のさらに別の実施形態を示している。
【００５７】
図９は、設定対象物である電気接続箱１２０の箱体１２０１と蓋体１２０２の合わせ目１２０３付近を示している。図１０は、電気接続箱１２０の箱体１２０１と蓋体１２０２と電線の固定具１３０１を示す断面図である。図１１は、図９とは異なる別の実施形態を示している。
【００５８】
図１０に示すように、電気接続箱１２０は、箱体１２０１と蓋体１２０２と電線の固定具１３０１を有している。複数本の電線１００が電気接続箱１２０の内部から外部に導出しようとする場合に、箱体１２０１の延長部と蓋体１２０２の延長部の間には、電線の固定具１３０１が形成されている。箱体１２０１と蓋体１２０２は、ネジ１５００により固定されている。
【００５９】
図１０に示すように、電線の固定具１３０１は、複数の電線１００を挟むために、箱体１２０１と蓋体１２０２にそれぞれ設けられた一対の半円筒状のトンネルから構成されている。一対の半円筒状のトンネルが組み合わされると、円筒状のトンネルである電線保持部分２０が形成される。図１０に示すように、電線保持部分２０は、電線保持部分２０の軸方向に沿って分割された第１半円筒部分２１Ｒと第２半円筒部分２２Ｒから構成されており、第１部分２１Ｒと第２部分２２Ｒが重ね合わされることでトンネル状の電線保持部分２０が形成されている。
【００６０】
第１部分２１Ｒと第２部分２２Ｒは、交互に歯部が電線の被覆１０２に噛み合うように凹凸が対応して配置され、歯部が第１半円筒部分２１Ｒと第２半円筒部分２２Ｒにおいて互いに上下に沿って交互に中心がズレている。電線保持部分２０は、段差部分１０，１１を有している。
【００６１】
この図示例では、段差部分１０の軸方向の幅は段差部分１１の軸方向の幅が大きい。しかも、段差部分１０，１１の各中心軸は電線１００の中心軸Ｌに対して上下（軸方向に垂直な方向）にズレている。このため、電線１００の被覆１０２の変形は容易にできるので、電線１００の数が増えても、複数の電線１００を固定する力が少なくても済む。
【００６２】
また、図１１に示すように、段差部分１０，１１の各中心軸は電線１００の中心軸Ｌに対して垂直なＧ方向である左右方向（図１０の紙面垂直方向）にズレるようにしても良い。
【００６３】
図１２は、本発明のさらに別の実施形態を示している。
【００６４】
図１２（Ａ）は機器の一部分を示しており、図１２（Ｂ）は図１２（Ａ）の機器におけるＪ−Ｊ線での断面図である。
【００６５】
図１２において、機器は、部品１４０１と部品１４０２を有している。部品１４０１と部品１４０２はネジ１４０３により固定されている。部品１４０１と部品１４０２は、電線保持部分２０を構成している。
【００６６】
電線保持部分２０は、電線保持部分２０の軸方向に沿って分割された第１半円筒部分２１Ｔと第２半円筒部分２２Ｔから構成されており、第１半円筒部分２１Ｔと第２半円筒部分２２Ｔが重ね合わされることでトンネル状の電線保持部分２０が形成されている。第１半円筒部分２１Ｔと第２半円筒部分２２Ｔは、交互に歯部が電線の被覆１０２に噛み合うように凹凸が対応して配置され、歯部が第１半円筒部分２１Ｔと第２半円筒部分２２Ｔにおいて互いに上下に沿って交互に中心がズレている。電線保持部分２０は、段差部分１０，１１を有している。第１半円筒部分２１Ｔと第２半円筒部分２２Ｔの各対応する段差部分は、同じＷ方向にずれている。
【００６７】
図１２（Ｂ）に示すように、段差部分１０，１１がＷ方向（横方向）にずらせる場合には、隣りの電線２０，２０のための段差部分１０，１１は、対向する方向に互いに逆方向に沿ってＷ方向にズレを設けることが望ましい。このようにすると、図１２（Ａ）に示すように、隔壁が厚くなった部分と痩せた部分が交互に並ぶから、厚くなった部分は半円筒状のトンネルの高さより、電線１００の直径の高さまで延長して突出させるので、略Ｊ字型の溝になる。
【００６８】
第１半円筒部分２１Ｔと第２半円筒部分２２Ｔは歯がかみ合うように組み合わされる。その組み合わせは、円筒状のトンネルの長さ方向に沿って複数の段差部分として設けるが、隣の段差部分は、横ずれの方向が変わり、略Ｊ字型の溝は鏡文字になって設けられることから、電線１００の被覆はそこで逆方向に押されて、段差部分１０，１１にしっかりと食い込む。図１２では、２対の段差部分１０，１１、すなわち４段の段差部分１０，１１が交互に設けられている。
【００６９】
上下の第１半円筒部分２１Ｔと第２半円筒部分２２Ｔを組み合わせる時には、略Ｊ字型の溝の突出した部分で、電線が案内されるから、電線は上下の第１半円筒部分２１Ｔと第２半円筒部分２２Ｔに挟まれることもなく、容易に電線保持部分２０に収納される。
【００７０】
また、電線を押さえる力は、上下の第１半円筒部分２１Ｔと第２半円筒部分２２Ｔの横方向に向かうから、電線の反発力が上下の第１半円筒部分２１Ｔと第２半円筒部分２２Ｔを開く方向には働かずに、押さえる力も少なくて済み、上下の第１半円筒部分２１Ｔと第２半円筒部分２２Ｔの係止手段も簡単な小さなもので済む。電線保持部分２０の厚みも薄くて済み、小さな電線保持部分２０により電線２０を固定できる。図１２の実施形態は、コネクタや電気接続箱やその他の電気機器に応用できる。
【００７１】
電線保持部分は、電線保持部分の軸方向に沿って分割された第１略Ｕ字部分と第２略Ｕ字部分から構成されており、第１略Ｕ字部分と第２略Ｕ字部分が重ね合わされることでトンネル状の電線保持部分が形成される。第１略Ｕ字部分と前記第２略Ｕ字部分は、交互に歯部が電線の被覆に噛み合うように凹凸が対応して配置され、歯部が第１略Ｕ字部分と第２略Ｕ字部分において互いに交互に中心がズレていて、電線の被覆が電線保持部分の段差部分により固定される。具体的には、図１３（A）ないし図１３（Ｃ）に示すように、機器の箱体２４０１は凹みの列の歯部２５００と凸の列の歯部２５０１を交互に有しており、蓋体２４０２の凹みの列の歯部２５００と凸の列の歯部２５０１は、箱体２４０１の凹みの列の歯部２５００と凸の列の歯部２５０１と比べると、凹凸の順番が逆になっている。図１３（Ｂ）に示すように、箱体２４０１には第１略Ｕ字部分２６０１が形成され、蓋体２４０２には第２第１略Ｕ字部分２６０２が形成されている。
【００７２】
図１３（Ｂ）と図１３（Ｃ）に示すように、箱体２４０１の凹みの列の歯部２５００と凸の列の歯部２５０１と、蓋体２４０２の凸の列の歯部２５０１と凹みの列の歯部２５００とが噛合って、蓋体２４０２を箱体２４０１に対して閉めることができる。電線１００の軸方向に関する両側を凸の列の歯部２５０１が支えるので、電線１００は直線状に並ぶことから、蓋体２４０２を閉めるときに、箱体２４０１と蓋体２４０２の間に、電線１００の被覆を噛み込んでしまうのを防いで蓋体２４０２が閉めにくくなることを防止できる。
【００７３】
図１３（Ｃ）において、電線固定部の段差３０００が図１３（Ｂ）の横方向Ｌ２にずれると、略Ｊ字の電線固定具になり、図１３（Ｂ）の電線１００の縦方向Ｌ１にずれると、略Ｕ字の電線固定具になる。
【００７４】
本発明の実施形態の電線の固定具と電線の固定方法は、電線を設定対象物に対して配線して固定するための電線の固定具であって、設定対象物における電線の出口付近には、トンネル状の電線保持部分を設け、電線保持部分の途中には電線保持部分の中心のズレを有する段差部分を有しており、ズレ量は電線の被覆の厚み未満である。
【００７５】
電線の大きな屈曲を伴わなくても充分な電線の固定強度が得られる。電線がほぼ直線状態のまま固定できることから、電線の長さのバラツキが生じない。軽い力で電線を固定できるので、電線の挙動が把握できるから、電線の芯線に対する噛み込みなどがない。電線保持部分が小型化できる。
【００７６】
本発明の実施形態は、電気機器に電線を固定する場合には、電気機器に設けられた電線の被覆が、電気機器の筐体に対して強固に固定される。これにより、万が一電線が引っ張られるようなことがあっても、電線と電気機器の内部配線との接続部分を守り電気接続を安定させることで、回路の信頼性が確保されている。
【００７７】
ところで、本発明は、上記実施形態に限定されず種々の変形例を採用できる。
【００７８】
例えば、図１の実施形態では、電線保持部分２０は、軸方向に沿って上下に２つに分割されており、第１半円筒部分２１と第２半円筒部分２２から構成されている。しかし、これに限らず、電線保持部分２０は、左右に２分割されていても、あるいは上下と左右に分割されていても良い。
【図面の簡単な説明】
【００７９】
【図１】本発明の電線の固定具の好ましい実施形態を示す図である。
【図２】本発明の別の実施形態を示す平面図である。
【図３】本発明の範囲外である比較例を示す平面図である。
【図４】本発明の実施形態の電線の固定具が、実際に適用された例を示す図である。
【図５】本発明の実施形態の電線の固定具が、実際に適用された別の例を示す図である。
【図６】本発明の実施形態の電線の固定具が、実際に適用された別の例を示す図である。
【図７】電気接続用のコネクタを示す正面図である。
【図８】図７の電気接続用のコネクタのＨ−Ｈ線における断面図である。
【図９】設定対象物である電気接続箱の箱体と蓋体の合わせ目付近を示す図である。
【図１０】電気接続箱の箱体と蓋体と電線の固定具を示す断面図である。
【図１１】図９とは異なる本発明の別の実施形態を示す図である。
【図１２】本発明のさらに別の実施形態を示す断面図である。
【図１３】本発明のさらに別の実施形態を示す断面図である。
【符号の説明】
【００８０】
１        電線の固定具
１０      段差部分
１１      段差部分
２０      電線保持部分
２１      第１半円筒部分
２２      第２半円筒部分
１００    電線
１０１    芯線
１０２    被覆
５００    コネクタ（設定対象物）
６００    電源ボックス（設定対象物）
７００    制御ボックス（設定対象物）
１２００  電気接続箱（設定対象物）
Ｌ        電線の芯線の幾何学的な中心線
ｄ        中心のズレ量
【図１】
2007267511.tif 000003
【図２】
2007267511.tif 000004
【図３】
2007267511.tif 000005
【図４】
2007267511.tif 000006
【図５】
2007267511.tif 000007
【図６】
2007267511.tif 000008
【図７】
2007267511.tif 000009
【図８】
2007267511.tif 000010
【図９】
2007267511.tif 000011
【図１０】
2007267511.tif 000012
【図１１】
2007267511.tif 000013
【図１２】
2007267511.tif 000014
【図１３】
2007267511.tif 000015